(57)【要約】【課題】夏場の屋外作業現場などにおける作業者の頭部の不快感を抑制するとともに、作業者の安全衛生の確保にも有効なヘルメットなどを提供する。【解決手段】ヘルメット１００は、作業者Ｗの頭部Ｈを被覆可能なヘルメット本体１０と、ヘルメット本体１０の後縁部１０ｃにファスナ１１ｆを介して着脱可能に取り付けられた日除けシート１１と、ヘルメット本体１０の内側から外側に向けて送風するためヘルメット本体１０の頂上部に配置された電動ファン１２と、電動ファン１２を作動させるためヘルメット本体１１の背面部１０ｂ内に付設された複数の蓄電池１３と、蓄電池１３を充電するための太陽光発電パネル１４及び太陽光発電フィルム１５と、を備えている。太陽光発電パネル１４はヘルメット本体１０の背面部１０ｂに付設され、太陽光発電フィルム１５は日除けシート１１の表面に付設されている。【選択図】図１
2017115275.tif 000002
【特許請求の範囲】
【請求項１】
作業者の頭部を被覆可能なヘルメット本体と、
前記ヘルメット本体に着脱可能に取り付けられた日除けシートと、
前記ヘルメット本体の内側から外側に向けて送風するため前記ヘルメット本体の頂上部に配置された電動ファンと、
前記電動ファンを作動させるため前記ヘルメット本体に付設された蓄電池と、
前記蓄電池を充電するため前記ヘルメット本体の表面若しくは前記日除けシートの表面の少なくとも一方に配置された太陽光発電手段と、
前記ヘルメット本体内の温度及び湿度を計測するセンサと、
前記センサの計測値を無線信号に変換して所定の管理装置に向けて発信する無線送信手段と、を備えたヘルメット。
【請求項２】
前記ヘルメット本体の正面部若しくは側面部の少なくとも一方にＬＥＤ発光体を配置した請求項１記載のヘルメット。
【請求項３】
前記センサの計測値に基づいて前記電動ファンの送風能力を変化させる制御手段を設けた請求項１または２記載のヘルメット。
【請求項４】
請求項１〜３のいずれかの項に記載のヘルメットと、前記ヘルメットの無線送信手段から送信された無線信号を受信して前記センサの計測値をディスプレイに表示する管理装置と、を備えた作業者管理システム。
【請求項５】
前記管理装置が受信した前記センサの計測値が予め設定された基準値を超えると、警報信号を発する警告手段を前記管理装置に設けた請求項４記載の作業者管理システム。
【請求項６】
前記管理装置が多機能携帯電話若しくはパーソナルコンピュータの少なくとも一方である請求項４または５記載の作業者管理システム。
【発明の詳細な説明】
【技術分野】
【０００１】
本発明は、土木建設工事の作業現場や工場内の作業現場などにおいて作業者が頭部を保護するために着用するヘルメットに関する。
【背景技術】
【０００２】
土木作業現場や工場内の作業現場において作業者が着用するヘルメットについては、作業現場の状況に応じて様々な形状、機能を有するものが提案されている。例えば、夏場の作業中に着用するヘルメット内は暑くて、蒸れるので、これを回避するため、電池で作動する電動ファンを備えたものが提案されている。また、夜間作業において使用するヘルメットは、照明を備えたものが提案されている。
【０００３】
一方、本発明に関連する従来技術として、例えば、特許文献１に記載された「ヘルメット」がある。このヘルメットは、冷却部材で冷やした空気をモータファンでヘルメット内に送り込むことにより、夏場の屋外作業中のヘルメット内の温度を下げる機能を有している。また、モータファンの電力供給源として、ヘルメットの表面などに多数のソーラ電池が取り付けられている。
【先行技術文献】
【特許文献】
【０００４】
【特許文献１】登録実用新案第３０１００６４号公報
【発明の概要】
【発明が解決しようとする課題】
【０００５】
夏場の屋外作業現場などで作業者が着用しているヘルメット内は高温度、高湿度の状態となるので、作業者が単に不快に感じるだけでなく、熱中症などを引き起こす原因となる可能性もあるので、作業者の安全衛生確保の観点からも好ましくない。
【０００６】
一方、特許文献１に記載された「ヘルメット」などのように、電池で作動する電動ファンの作用によってヘルメット内を通気できるものもあるが、高温、多湿の作業環境下で使用した場合、通気機能が不足して、作業者が不快に感じることがある。また、過酷な作業環境に慣れた作業者が、自分で気付かないうちに熱射病や熱中症になったりする可能性を否定できない。
【０００７】
そこで、本発明が解決しようとする課題は、夏場の屋外作業現場などにおける作業者の頭部の不快感を抑制するとともに、作業者の安全衛生の確保にも有効なヘルメット及びこれを用いた作業者管理システムを提供することにある。
【課題を解決するための手段】
【０００８】
本発明のヘルメットは、作業者の頭部を被覆可能なヘルメット本体と、
前記ヘルメット本体に着脱可能に取り付けられた日除けシートと、
前記ヘルメット本体の内側から外側に向けて送風するため前記ヘルメット本体の頂上部に配置された電動ファンと、
前記電動ファンを作動させるため前記ヘルメット本体に付設された蓄電池と、
前記蓄電池を充電するため前記ヘルメット本体の表面若しくは前記日除けシートの表面の少なくとも一方に配置された太陽光発電手段と、
前記ヘルメット本体内の温度及び湿度を計測するセンサと、
前記センサの計測値を無線信号に変換して所定の管理装置に向かって発信する無線送信手段と、を備えたことを特徴とする。
【０００９】
このような構成とすれば、太陽光発電手段から供給される電気で充電された蓄電池を電源として作動する電動ファンによってヘルメット本体内の空気を排出するとともに外気をヘルメット本体内へ取り込むことができるので、夏場の屋外作業現場などにおける作業者の頭部の不快感を抑制することができる。
【００１０】
また、作業者が着用しているヘルメット本体内の温度及び湿度はセンサによって計測され、その測定値は無線信号で管理装置に発信されるので、管理者が管理装置を監視しておけば、作業者のヘルメット内の状況を把握することができ、異常発生時はそれを検知し、作業者に連絡することができる。これにより、作業者が気付かないうちに熱射病や熱中症などになるような事態を防止することができるため、作業者の安全衛生の確保にも有効である。
【００１１】
ここで、前記ヘルメット本体の正面部若しくは側面部の少なくとも一方にＬＥＤ発光体を配置することもできる。
【００１２】
また、前記センサの計測値に基づいて前記電動ファンの送風能力を変化させる制御手段を設けることもできる。
【００１３】
次に、本発明の作業者管理システムは、前述したヘルメットと、前記ヘルメットの無線送信手段から送信された無線信号を受信して前記センサの計測値をディスプレイに表示する管理装置と、を備えたことを特徴とする。
【００１４】
このような構成とすれば、前述した本発明に係るヘルメットを作業者が着用することにより、夏場の屋外作業現場などにおける作業者の頭部不快感を抑制することができる。
【００１５】
また、作業者が着用しているヘルメット本体内の温度及び湿度はセンサによって計測され、その測定値は無線信号で管理装置に発信されるので、管理者が管理装置のディスプレイを監視しておけば、作業者のヘルメット内の状況を把握することができ、異常発生時はそれを検知し、作業者に連絡することができる。これにより、作業者が気付かないうちに熱射病や熱中症になるような事態を防止することができるため、作業者の安全衛生の確保にも有効である。
【００１６】
ここで、前記管理装置が受信した前記センサの計測値が予め設定された基準値を超えると、警報信号を発する警告手段を前記管理装置に設けることができる。
【００１７】
また、前記管理装置として、多機能携帯電話（スマートフォン）若しくはパーソナルコンピュータの少なくとも一方を使用することができる。
【発明の効果】
【００１８】
本発明により、夏場の屋外作業現場などにおける作業者の頭部の不快感を抑制するとともに、作業者の安全衛生の確保にも有効なヘルメット及びこれを用いた作業者管理システムを提供することができる。
【図面の簡単な説明】
【００１９】
【図１】本発明の実施形態であるヘルメットを示す側面図である。
【図２】図１に示すヘルメットの一部省略断面図である。
【図３】図１に示すヘルメットの一部省略正面図である。
【図４】図１に示すヘルメットの一部省略背面図である。
【図５】図１に示すヘルメットを使用した作業者管理システムを示す図である。
【発明を実施するための形態】
【００２０】
以下、図１〜図４に基づいて、本発明の実施形態であるヘルメット１００について説明し、その後、図５に基づいて、本発明の実施形態である、ヘルメット１００を使用した作業者管理システム２００について説明する。
【００２１】
図１〜図４に示すように、本実施形態のヘルメット１００は、作業者Ｗの頭部Ｈを被覆可能なヘルメット本体１０と、ヘルメット本体１０に着脱可能に取り付けられた日除けシート１１と、ヘルメット本体１０の内側から外側に向けて送風するためヘルメット本体１０の頂上部に配置された電動ファン１２と、電動ファン１２を作動させるためヘルメット本体１０の背面部１０ｂの内側に付設された複数の蓄電池１３と、蓄電池１３を充電するために設けられた太陽光発電パネル１４及び太陽光発電フィルム１５と、を備えている。
【００２２】
日除けシート１１は、ヘルメット本体１０の後縁部１０ｃに垂下状に設けられた取付シート１１ａの下縁部にファスナ１１ｆを介して着脱可能に取り付けられている。電動ファン１２は、ヘルメット本体１０の頂上部に突出状に設けられた無底箱体形状の収容室１２ａ内に配置されている。収容室１２ａの天井部１２ｂには複数の排気孔１２ｃが開設されている。収容室１２の下面はヘルメット本体１０内に向かって開口している。
【００２３】
図１に示すように、ヘルメット本体１０の側面部１０ｄには複数の赤色ＬＥＤ発光体１９が付設されている。図２，図３に示すように、ヘルメット本体１０の正面部１０ａには白色ＬＥＤ発光体１８が配置され、その上方にはスリット形状をした複数の通気口１０ｓが開設されている。白色ＬＥＤ発光体１８及び赤色ＬＥＤ発光体１９は蓄電池１３から供給される電気によって発光する。
【００２４】
図１，図４に示すように、複数の太陽光発電パネル１４はヘルメット本体１０の背面部１０ｂの表面に付設され、日除けシート１１の表面には太陽光発電フィルム１５が付設されている。
【００２５】
図１，図２に示すように、ヘルメット本体１０内の頂上部寄りの位置には、温度及び湿度を計測するセンサ１６と、センサ１６の計測値を無線信号に変換して所定の管理装置（図５に示す多機能携帯電話３０及びパーソナルコンピュータ４０）に向けて発信する無線送信手段１７と、が設けられている。また、ヘルメット本体１０内には、センサ１６の計測値に基づいて電動ファン１２の送風能力を変化させる制御手段２０が設けられている。
【００２６】
図１，図２に示すように、ヘルメット１００は、夏場の屋外作業現場などに従事する作業者Ｗの頭部Ｈに着用して使用する。太陽光発電手段である太陽光発電パネル１４及び太陽光発電フィルム１５から供給される電気で充電された蓄電池１３を電源として作動する電動ファン１２によってヘルメット本体１０内の空気を排気孔１２ｃから排出するとともに、ヘルメット本体１０内へ外気を取り込むことができるので、夏場の屋外作業現場などにおける作業者Ｗの頭部Ｈの不快感を抑制することができ、熱射病や熱中症の予防に有効である。
【００２７】
ヘルメット１００においては、作業中に高温空気が溜まり易いヘルメット本体１０の頂上部に設けた収容室１２ａ内に電動ファン１２が配置されているので、高温空気を効率良く外部へ排出することができる。また、制御手段２０は、センサ１６の計測値に基づいて電動ファン１２の送風能力を好適に変化させるので、ヘルメット本体１０内を快適な状態に保つことができるだけでなく、蓄電池１３の無駄な電力消費を抑制することもできる。
【００２８】
また、ヘルメット１００は、太陽光発電手段として、太陽光発電パネル１４及び太陽光発電フィルム１５を備えているので、電動ファン１２を作動させるための蓄電池１３を充電するのに十分な電気を発電することができる。なお、太陽光発電パネル１４及び太陽光発電フィルム１５で発電した電気を、直接、電動ファン１２へ供給して作動させることもできる。
【００２９】
図４に示すように、ヘルメット１００においては、太陽光発電フィルム１５及び日除けシート１１は作業者Ｗの後頭部及び首部を覆う程度の広さであるが、これに限定するものではないので、ファスナ１１ｆを開いて日除けシート１１を取り外し、例えば、作業者Ｗの両肩部を覆う程度の広さを有する太陽光発電フィルム付きの日除けシートと取り換えることもできる。また、日除けシート１１が不要な場合は、日除けシート１１を取り外した状態で使用することもできる。
【００３０】
なお、日除けシート１１に付設する太陽光発電手段は太陽光発電フィルム１５に限定しないので、太陽光発電フィルム１５の代わりに太陽光発電パネルなどを使用することもできる。また、太陽光発電フィルム１５を使用せずに、日除けシート１１自体を、太陽光発電機能を有する布材（例えば、球状太陽電池が織り込まれた布材である太陽電池テキスタイルなど）で形成することもできる。
【００３１】
図１，図３に示すように、ヘルメット１００においては、ヘルメット本体１０の正面部１０ａに白色ＬＥＤ発光体１８を有しているので、作業中に明かりが必要なときは白色ＬＥＤ発光体１８を点灯することができる。また、夜間作業などの際には、ヘルメット本体１０の側面部１０ｄの複数の赤色ＬＥＤ発光体１９を点滅（若しくは点灯）させておけば、作業者Ｗの存在を周囲に知らしめることができ、安全性確保に有効である。
【００３２】
次に、図５に基づいて、本発明の実施形態である、ヘルメット１００を使用した作業者管理システム２００について説明する。
【００３３】
図５に示すように、本発明の作業者管理システム２００は、図１〜図４に示すヘルメット１００と、作業者Ｗが着用したヘルメット１００の無線送信手段１７から送信された無線信号Ｒを受信してセンサ１６の計測値をディスプレイ３１，４１に表示する管理装置である多機能携帯電話(スマートフォン）３０及びパーソナルコンピュータ４０と、を備えている。また、多機能携帯電話３０及びパーソナルコンピュータ４０が受信したセンサ１６の計測値が予め設定された基準値を超えると、警報信号を発する警告手段が多機能携帯電話３０及びパーソナルコンピュータ４０に設けられている。
【００３４】
多機能携帯電話３０に設けられた警告手段は、受信したセンサ１６の計測値が予め設定された安全基準値を超えると、警報信号としてアラーム音（若しくは音声）と振動を発するというものである。パーソナルコンピュータ４０に設けられた警告手段は、受信したセンサ１６の計測値が予め設定された安全基準値を超えると、警報信号としてアラーム音（若しくは音声）を発するととものディスプレイ４１に所定の警告表示が現れるというものである。多機能携帯電話３０は作業者Ｗが作業服のポケット内などに携帯し、パーソナルコンピュータ４０は管理室内などに配置される。
【００３５】
作業者管理システム２００においては、作業者Ｗが着用しているヘルメット１００のヘルメット本体１０内の温度及び湿度はセンサ１６によって連続的に計測され、その測定値は無線信号Ｒで多機能携帯電話３０及びパーソナルコンピュータ４０に送信される。従って、管理者がパーソナルコンピュータ４０のディスプレイ４１を監視しておけば、作業者Ｗのヘルメット本体１０内の状況を把握して遠隔管理することができ、異常発生時はそれを検知し、作業者Ｗに連絡することができる。これにより、作業者Ｗが気付かないうちに熱射病や熱中症などになるような事態を防止することができるため、作業者Ｗの安全衛生の確保に有効である。なお、パーソナルコンピュータ４０は、複数の作業者Ｗが着用したヘルメット１００からの信号を受信して一元管理することもできる。
【００３６】
また、作業者Ｗが携帯している多機能携帯電話３０が受信したセンサ１６の計測値が予め設定された安全基準値を超えると、警報信号としてアラーム音（若しくは音声）と振動を発するので、作業を中止して休憩するなどの適切な対応をとることができ、作業者の安全衛生の確保に有効である。
【００３７】
なお、図１〜図５に基づいて説明したヘルメット１００及び作業者管理システム２００は本発明の一例を示すものであり、本発明に係るヘルメット及び作業者管理システムは前述したヘルメット１００及び作業者管理システム２００に限定されない。
【産業上の利用可能性】
【００３８】
本発明に係るヘルメットは、土木建設作業現場や工場作業現場あるいはその他の各種産業の作業現場において作業者の頭部を保護する器具として広く利用することができる。
【符号の説明】
【００３９】
１０  ヘルメット本体
１０ａ  正面部
１０ｂ  背面部
１０ｃ  後縁部
１０ｄ  側面部
１０ｓ  通気口
１１  日除けシート
１１ａ  取付シート
１１ｆ  ファスナ
１２  電動ファン
１２ａ  収容室
１２ｂ  天井部
１２ｃ  排気孔
１３  蓄電池
１４  太陽光発電パネル
１５  太陽光発電フィルム
１６  センサ
１７  無線送信手段
１８  白色ＬＥＤ発光体
１９  赤色ＬＥＤ発光体
２０  制御手段
１００  ヘルメット
２００  作業者管理システム
Ｈ  頭部
Ｒ  無線信号
Ｗ  作業者
【図１】
2017115275.tif 000003
【図２】
2017115275.tif 000004
【図３】
2017115275.tif 000005
【図４】
2017115275.tif 000006
【図５】
2017115275.tif 000007